(57)【要約】【課題】ビデオカメラによる監視システムの構築を容易にすること。【解決手段】同軸ケーブルから信号を分岐分配する分岐分配器２４と、分岐分配器により分岐分配された信号のうち交流電力とＲＦ信号とを分離するフィルタ１６と、フィルタにより分離された交流電力を第１の直流電源電圧に変換する交流直流変換器１４と、フィルタにより分離された交流電力を降圧する降圧装置１８と、フィルタにより分離された交流電力をＡＣ１００Ｖに昇圧する昇圧装置１７と、フィルタにより分離されたＲＦ信号を入力して復調の後にビデオカメラに出力し、ビデオカメラから入力された信号を変調した後に、フィルタと分岐分配器を介して同軸ケーブルにＲＦ信号を送出する変復調装置１２とから成るビデオカメラ用通信端末装置である。【選択図】  図１
2006314074.tif 000002
【特許請求の範囲】
【請求項１】
交流電力が重畳された同軸ケーブルを用いた同軸伝送路に接続されるビデオカメラ用通信端末装置であって
前記同軸ケーブルから信号を分岐分配する分岐分配器と、
前記分岐分配器により分岐分配された信号のうち交流電力とＲＦ信号とを分離するフィルタと、
前記フィルタにより分離された交流電力を第１の直流電源電圧に変換する交流直流変換器と、
前記フィルタにより分離された交流電力を降圧する降圧装置と、
前記フィルタにより分離された交流電力をＡＣ１００Ｖに昇圧する昇圧装置と、
前記フィルタにより分離されたＲＦ信号を入力して復調の後にビデオカメラに出力し、前記ビデオカメラから入力された信号を変調した後に、前記フィルタと分岐分配器を介して前記同軸ケーブルにＲＦ信号を送出する変復調装置と
から成るビデオカメラ用通信端末装置。
【請求項２】
交流電力が重畳された同軸ケーブルを用いた同軸伝送路に接続されるビデオカメラ用通信端末装置であって
前記同軸ケーブルから信号を分岐分配する分岐分配器と、
前記分岐分配器により分岐分配された信号のうち交流電力とＲＦ信号とを分離するフィルタと、
前記フィルタにより分離されたＲＦ信号を入力して復調の後にビデオカメラに出力し、前記ビデオカメラから入力された信号を変調した後に、前記フィルタと分岐分配器を介して前記同軸ケーブルにＲＦ信号を送出する変復調装置と、
前記フィルタにより分離された交流電力を第１の直流電源電圧に変換し、ビデオカメラに対する電源とする第１の交流直流変換器と、
前記フィルタにより分離された交流電力を第２の直流電源電圧に変換し、前記変復調装置に常時給電する第２の交流直流変換器と、
前記変復調装置に接続され、この変復調装置のリンクが確立した場合に、前記第１の交流直流変換器に、前記フィルタにより分離された交流電力を供給し、リンクが確立していない場合には、前記フィルタにより分離された交流電力の供給を遮断する制御装置と
から成るビデオカメラ用通信端末装置。
【請求項３】
前記フィルタにより分離された交流電力を降圧する降圧装置と、
前記フィルタにより分離された交流電力をＡＣ１００Ｖに昇圧する昇圧装置と
をさらに有することを特徴とする請求項２に記載のビデオカメラ用通信端末装置。
前記変復調。
【発明の詳細な説明】
【技術分野】
【０００１】
本発明は、同軸ケーブルを用いたＣＡＴＶ伝送路などの同軸伝送路に接続されるビデオカメラ用通信端末装置に関する。
【背景技術】
【０００２】
近年、下記特許文献１に記載のように、同軸ケーブルを用いた映像監視システムが知られている。そのシステムは、同軸ケーブルに多数のビデオカメラが接続されて、各ビデオカメラからの映像信号を周波数多重化して同軸ケーブルに送出することで、多数のビデオカメラに対する信号線の数を減少させるものである。また、このシステムでは、同軸ケーブルに電力が重畳されて、ビデオカメラに同軸ケーブルを介して電力が供給されるように構成されている。
【０００３】
【特許文献１】特開平８−２１４３８８号公報
【発明の開示】
【発明が解決しようとする課題】
【０００４】
しかしながら、この特許文献１に記載の技術では、変調器の出力として、ビデオカメラに対する電源出力があるだけである。多くの仕様のビデオカメラには対応することができない構造になっている。よって、ビデオカメラを用いた監視システムを構築する場合に、他種類のビデオカメラ用の電源を準備しなければならず、監視システムの構築が必ずしも容易ではなかった。
【０００５】
また、通信端末装置は、周波数多重化された信号を復調してビデオカメラに出力し、ビデオカメラからのデータ信号を周波数多重化信号に変調する変復調装置を有している。この変復調装置は、センタとの間で通信手順のリンクを確立した後に、ビデオカメラに対して正常に信号を出力し、ビデオカメラから正常に信号を入力できるように構成されている。また、ＩＰビデオカメラの場合には、ＩＰビデオカメラの電源が投入されると、通信端末装置との間でリンクを確立する。この時、通信端末装置が監視室との間で先にリンクが確立されていないと、ＩＰビデオカメラのリンクが確立手順が不安定となり、正常にリンクが確立できないという問題がある。また、リンク確立前に、ビデオカメラから信号が変復調装置に入力されると、そのタイミングによっては、通信端末装置とセンタとの間のリンクが正常に確立されない場合が発生するという問題がある。リンク確立ができない場合には、センタは、この変復調装置に対して、リセットし、最初からリンク確立をさせるリブートを実行させるが、通信端末装置とビデオカメラに電力が同時に供給されると、ビデオカメラのリンク確立手順が実行されるが、通信端末装置のネットワークに対するリンクの確立が完了していないと、ビデオカメラのリンクが確実に実行されないという問題がある。
【０００６】
よって、本発明の目的は、複数の種類のビデオカメラに対する多用な給電が可能なように、ビデオカメラ用通信端末装置を構成することである。
また、本発明の他の目的は、ビデオカメラ用通信端末装置のリンクの確立を確実に行うことができるようにすることである。
【課題を解決するための手段】
【０００７】
請求項１の発明は、交流電力が重畳された同軸ケーブルを用いた同軸伝送路に接続されるビデオカメラ用通信端末装置であって、同軸ケーブルから信号を分岐分配する分岐分配器と、分岐分配器により分岐分配された信号のうち交流電力とＲＦ信号とを分離するフィルタと、フィルタにより分離された交流電力を第１の直流電源電圧に変換する交流直流変換器と、フィルタにより分離された交流電力を降圧する降圧装置と、フィルタにより分離された交流電力をＡＣ１００Ｖに昇圧する昇圧装置と、フィルタにより分離されたＲＦ信号を入力して復調の後にビデオカメラに出力し、ビデオカメラから入力された信号を変調した後に、フィルタと分岐分配器を介して同軸ケーブルにＲＦ信号を送出する変復調装置とから成るビデオカメラ用通信端末装置である。
【０００８】
また、請求項２の発明は、交流電力が重畳された同軸ケーブルを用いた同軸伝送路に接続されるビデオカメラ用通信端末装置であって、同軸ケーブルから信号を分岐分配する分岐分配器と、分岐分配器により分岐分配された信号のうち交流電力とＲＦ信号とを分離するフィルタと、フィルタにより分離されたＲＦ信号を入力して復調の後にビデオカメラに出力し、ビデオカメラから入力された信号を変調した後に、フィルタと分岐分配器を介して同軸ケーブルにＲＦ信号を送出する変復調装置と、フィルタにより分離された交流電力を第１の直流電源電圧に変換し、ビデオカメラに対する電源とする第１の交流直流変換器と、フィルタにより分離された交流電力を第２の直流電源電圧に変換し、変復調装置に常時給電する第２の交流直流変換器と、変復調装置に接続され、この変復調装置のリンクが確立した場合に、第１の交流直流変換器に、フィルタにより分離された交流電力を供給し、リンクが確立していない場合には、前記フィルタにより分離された交流電力の供給を遮断する制御装置とから成るビデオカメラ用通信端末装置である。
【０００９】
また、請求項３の発明は、フィルタにより分離された交流電力を降圧する降圧装置と、フィルタにより分離された交流電力をＡＣ１００Ｖに昇圧する昇圧装置とをさらに有することを特徴とする請求項２に記載のビデオカメラ用通信端末装置である。
【発明の効果】
【００１０】
請求項１の発明によると、まず、同軸ケーブル上に重畳されているＡＣ３０〜６０Ｖの電力をフィルタにより分離する。フィルタにより分離された電力は、昇圧装置によりＡＣ１００Ｖの電圧に変換される。これにより、曇り防止用のＡＣ１００Ｖで駆動されるヒータやワイパーを備えるビデオカメラにも対応可能となる。また、フィルタにより分離された電力は、交流直流変換器により第１の直流電源電圧に変換される。例えば、ＤＣ１２Ｖの電圧に変換される。これにより、ＤＣ１２Ｖで駆動されるＩＰビデオカメラにも対応可能となる。また、降圧装置により、例えば、ＡＣ２４Ｖの電圧に降圧される。これにより、ＡＣ２４Ｖで駆動されるビデオカメラにも対応可能となる。
【００１１】
また、同軸ケーブルには、中継器などを介して、給電ユニットから給電されている。給電ユニットは、商用電源の電圧を、例えば、ＡＣ３０〜６０Ｖに降圧して、電力を同軸ケーブルに供給するものである。本装置では、ビデオカメラから送信されてくる画像を監視する監視室において、画像が受信できなければ、その給電ユニットが故障しているということも検出することが可能となる。また、所定の電圧が給電されていないことを、変復調装置が、データ信号として、監視室側へ送信するようにしても良い。
【００１２】
請求項２の発明によると、第２の交流直流変換器は、フィルタにより分離された交流電力を第２の直流電源電圧に変換し、変復調装置に常時給電する。このため、変復調装置は、同軸ケーブルに交流電力が重畳されている限り、動作可能状態におかれている。一方、ビデオカメラは、同軸ケーブルに交流電力が重畳されていても、常には、電力が供給されていない。変復調装置が通信手順を実行するためのプログラムのローディングなどの初期設定をするブートが完了し、監視室との間で相互通信が可能な状態とするリンクが確立すると、変復調装置は、そのリンク確立信号を外部に出力する。通常は、ＬＥＤを点灯する。制御装置は変復調装置からこのリンク確立信号を入力して、リンクが正常に確立された場合に、第１の交流直流変換器に、フィルタにより分離された交流電力を供給し、リンクが正常に確立していない場合には、フィルタにより分離された交流電力の第１の交流直流変換器への供給を遮断する。この結果、第１の交流直流変換器は、リンクが正常に確立された後に、第１の直流電源電圧をビデオカメラに出力する。したがって、変復調装置には、リンクが正常に確立された後でなければ、ビデオカメラから信号が入力されない。また、変復調装置のリンクが正常に確立され後に、ビデオカメラには給電されるので、ビデオカメラと変復調装置とのリンクが確立される。この結果、変復調装置及びビデオカメラのリンクを確実に確立させることができる。
【発明を実施するための最良の形態】
【００１３】
以下、本発明を具体的な実施例に基づいて説明する。本発明は、以下の実施例に限定されるものではない。
【実施例１】
【００１４】
図１は、本ビデオカメラ用通信端末装置と、その装置が同軸ケーブルに接続されている様子を示したブロック図である。本実施では、ＣＡＴＶの同軸ケーブルで集合住宅内に配設されているものであり、集合住宅の周辺を監視することを前提としている。同軸ケーブル２０（同軸伝送路）には、中継増幅器２１が挿入されており、その中継増幅器２１に給電ユニット２２が接続されている。給電ユニット２２は、商用電源２３から給電されて、ＡＣ６０Ｖに降圧した電力を、パワーインサータ２６を介して、同軸ケーブル２０に重畳している。
【００１５】
監視領域において、ビデオカメラ用通信端末装置１０が、分岐／分配器２４を介して、同軸ケーブル２０に接続されている。分岐／分配器２４は、交流電源周波数の交流電力と、ＲＦ信号とを分岐／分配する装置である。このビデオカメラ用通信端末装置１０は、交流電力とＲＦ信号とを分離するフィルタ１６が接続されている。フィルタ１６は、第１の交流直流変換器であるスイッチング電源１４側に接続されるチョークコイル３１と変復調装置１２側に接続されるコンデンサ３２とから成る。チョークコイル３１の出力端は、ＤＣ１２Ｖの直流電力を得るためのスイッチング電源１４に接続されており、そのスイッチング電源１４によりＤＣ１２Ｖの直流が得られる。変復調装置１２にはケーブルモデムを用いることも可能である。
【００１６】
また、チョークコイル３１の出力端には、降圧トランス１８が接続されており、その降圧トランス１８によりＡＣ６０Ｖの交流電力は、ＡＣ２４Ｖの交流電力に変換される。次に、チョークコイル３１の出力は、昇圧装置１７にも入力する。昇圧装置１７は、この降圧トランス１８の一次コイル４１と、このコイル４１と電磁結合する二次コイル４２とから構成されている。昇圧装置１７により、ＡＣ１００Ｖの交流電力に変換されて、出力される。
【００１７】
一方、ＲＦ信号を入力出力する側のコンデンサ３２の出力端は、変復調装置１２に接続されている。ビデオカメラ５０に対しては、ビデオカメラ５０の回転角や伏角などを制御するための制御データが変復調装置１２から出力されると共に、ビデオカメラ５０からの映像信号が変復調装置１２に入力される。この映像信号は変復調装置１２で変調されて、フィルタ１６、分岐／分配器２４を介して同軸ケーブル２０に出力されて、監視室２５の方へ送信される。
【００１８】
また、ビデオカメラ５０の姿勢を制御するモータなどに対する電力は、その仕様に合せて、本ビデオカメラ用通信端末装置１０から出力されるＤＣ１２Ｖ、ＡＣ２４Ｖ、ＡＣ１００Ｖの電力を用いることができる。このように、本装置を用いると、電源出力は、ＤＣ１２Ｖ、ＡＣ２４Ｖ、ＡＣ１００Ｖの３通りあるので、各種のビデオカメラに対して接続することが可能となる。
【００１９】
本装置を使用すれば、同軸ケーブルから成るＣＡＴＶシステムに重畳されているＡＣ３０〜６０Ｖの交流電力を用いることで、ＣＡＴＶの伝送路が近くにあれば、この伝送路を同軸ケーブルで延長して、本ビデオカメラ用通信端末装置を接続すれば、ビデオカメラを容易に接続できる。したがって、簡単にカメラ監視システムを構築することが可能となる。例えば、集合住宅のエントランスや建物周辺を監視するのにビデオカメラを設置する場合には、そのカメラに対する給電が問題となり、その給電線を敷設する必要があったが、本システムによると、ＣＡＴＶなどの同軸伝送路から分岐させて同軸ケーブルを延長し、同軸伝送路の給電し易いところから、ＡＣ３０〜６０Ｖの電力で同軸ケーブルに重畳給電すれば、ビデオカメラに対する給電が実行される。
【実施例２】
【００２０】
次に、第２の発明（請求項２、３）に係る実施例について説明する。本実施例は、変復調装置１２のリンクの確立を確実に行えるようにしたことが特徴である。
実施例１と同一構成要素には、同一の符合を付した。フィルタ１６から出力される交流電力は、第２の交流直流変換器である変復調装置用電源６８に入力し、第２の直流電源電圧に変換されて、変復調装置１２に供給されている。したがって、変復調装置１２は、同軸ケーブル２０に交流電力が重畳されている限り、動作可能状態となっている。また、変復調装置１２は、監視室との間で通信手順のリンクが確立した場合には、リンク確立信号を制御装置６０に出力するように構成されている。例えば、このリンク確立信号には、リンク確立を外部に表示するためのＬＥＤの点灯信号を用いることができる。このリンク確立信号が制御装置６０の増幅器６１に出力されて、リレーやトランジスタなどで構成されたスイッチ６２のオンオフが制御される。フィルタ１６から出力される交流電力は、このスイッチ６２に入力し、スイッチ６２の出力が第１の交流直流変換器であるスイッチング電源１４に入力している。
【００２１】
上記の構成において、まず、変復調装置１２に、変復調装置用電源６８から直流電力が供給されて、変復調装置１２は動作可能状態に置かれる。この時、制御装置６０のスイッチ６２はオフ状態であり、スイッチング電源１４には交流電力は入力されていない。したがって、ＩＰビデオカメラ５０に対してＤＣ１２Ｖの出力はなく、ＩＰビデオカメラ５０は動作しないので、ＩＰビデオカメラ５０から変復調装置１２には信号は出力されていない。この状態で、変復調装置１２は監視室からの信号を受信して、リンク確立の手順が実行される。この時、ＩＰビデオカメラ５０から変復調装置１２には信号が出力されていないので、変復調装置１２は、リンク確立を確実に実行することができる。そして、このリンク確立が正常に終了すると、リンク確立信号が制御装置６０に出力される。このリンクが正常に確立されるまでは、ＩＰビデオカメラ５０には、直流電力が供給されていないので、ＩＰビデオカメラ５０は変復調装置１２に対してリンク確立の動作を実行しない。変復調装置１２と監視装置間のリンクが正常に確立すると、制御装置６０によりスイッチ６２がオン状態となり、スイッチング電源１４には、交流電力が入力される。そして、直流電源ＤＣ１２ＶがＩＰビデオカメラ５０に供給されて、ＩＰビデオカメラ５０と変復調装置１２との間のリンク確立手順が実行される。この時、変復調装置１２は上位の機器に対してリンク確立が完了しているので、ＩＰビデオカメラ５０は変復調装置１２に対して正常にリンクが確立される。そして、このＩＰビデオカメラ５０から信号が変復調装置１２に出力されて、ＩＰビデオカメラ５０と監視室との間で通信を行うことができる。
【００２２】
また、監視室とＩＰビデオカメラ５０との間で通信が正常に実行できない状態が発生すると、監視室は、変復調装置１２に対して、リセット、リブート、リンク確立のための制御信号を出力する。変復調装置１２は、リセットにより、リンク確立信号の出力を停止する。この結果、制御装置６０のスイッチ６２はオフ状態となり、スイッチング電源１４には交流電力が入力されなくなる。よって、直流電源ＤＣ１２ＶのＩＰビデオカメラ５０への供給が遮断されて、ＩＰビデオカメラ５０から変復調装置１２には信号が入力されなくなり、変復調装置１２は、正常に、リブート、リンク確立を終了することができる。リンク確立が終了すると、変復調装置１２からリンク確立信号が制御装置６０に出力されて、直流電源ＤＣ１２Ｖが、再度、ＩＰビデオカメラ５０に印加される。そして、ＩＰビデオカラメ５０と変復調装置１２との間でリンク確立手順が実行されるが、この時、上位の変復調装置１２は、ネットワークに対してリンクが確立されているので、ＩＰビデオカラメ５０のリンク確立を確実に完了することができる。この結果、再度、監視室とＩＰビデオカメラ５０間で正常な通信が可能となる。
なお、変復調装置用電源６８の出力する第２の直流電源電圧と、スイッチング電源１４の出力する第１の直流電源電圧とは、同一電圧でも、異なる電圧でも良い。また、変復調装置用電源６８は、スイッチング電源であっても、その他の整流回路であっても良い。
【産業上の利用可能性】
【００２３】
本発明は、同軸ケーブルにより監視システムを構築するのに、ビデオカメラに対する給電線を、別に敷設する必要がなく、簡便にこのシステムを構築することができる。また、通信不可能な状態になった時に、確実に、リブートしリンク確立を実行させる装置として有用である。
【図面の簡単な説明】
【００２４】
【図１】本発明の具体的な実施例１に係るビデオカメラ用通信端末装置を示したブロック図。
【図２】本発明の具体的な実施例２に係るビデオカメラ用通信端末装置を示したブロック図。
【符号の説明】
【００２５】
１０…ビデオカメラ用通信端末装置
１６…フィルタ
１２…変復調装置
１４…スイッチング電源
１７…昇圧装置
１８…降圧トランス
２４…分岐／分配器
６０…制御装置
６２…スイッチ
６８…変復調装置用電源
【図１】
2006314074.tif 000003
【図２】
2006314074.tif 000004